(57)【特許請求の範囲】
【請求項１】
筐体に設けた収納部を開閉する蓋体を備える収納部の蓋装置において、
上記収納部の内壁の少なくとも一側部に、上記蓋体が上記筐体面と平行に移動される第１の動作を行わせる直線状の第１の溝部と、この第１の溝部と連続し上記筐体に対して回動される第２の動作を行わせる円弧状の第２の溝部とを有する互いに非平行である一対の係合溝を設け、
上記蓋体には、その側板部に上記一対の係合溝にそれぞれ係合する一対の支軸突部を設ける一方、その移動方向の両縁部に上記収納部を閉塞した状態で上記筐体内面に設けられた係合凹部と係合する係合突部とを形成した
ことを特徴とする収納部の蓋装置。
【請求項２】
少なくとも一方の係合溝には、その終端部近傍に突部が形成され、開放操作された上記蓋体は上記支軸が上記突部で係止されることによって開放状態に保持されることを特徴とする請求項１記載の収納部の蓋装置。
【発明の詳細な説明】
【０００１】
【産業上の利用分野】
本発明は、交換部材、例えば電池等を収納部に収納してなる電気、電子機器において、前記収納部を開閉する蓋装置に関する。
【０００２】
【従来の技術】
携帯型のテーププレーヤ、ディスクプレーヤ或いはデータエントリー装置等の電子機器は、機器本体を構成する筐体にポケット状の電池収納部を設け、この電池収納部に装填される電池を電源としている。電池収納部は、通常電池蓋によって閉塞されている。電池蓋は、電池の交換等に際して回動操作されて電池収納部を開放するように構成されている。
【０００３】
一般に、電池蓋は、電池収納部を開放した際に筐体から取り外される構造が採用されており、電池交換時に電池蓋を落として破損したり紛失するといった問題点があった。このため、例えば図９及び図１０に示すように、開放時においても蓋体７が筐体１から離脱しないように構成した電池収納部の蓋装置が提案されている。
【０００４】
すなわち、この電池収納部の蓋装置は、筐体１の互いに直交する２面に亘って電池収納部２を形成し、この電池収納部２の内部に電池４を保持するとともに電気的接続を行う電池ホルダー３が配設され、また電池収納部２を開閉する蓋体７を、筐体１に回動自在に支持して構成している。
【０００５】
蓋体７は、電池収納部２の開口部を閉塞するに足る大きさ及び形状に形成され、その一側部の両側縁に支軸８を一体に形成している。この支軸８が形成された側の先端には筐体１の内面に形成した係合凹部６と係脱する係合突部１０が薄肉の弾性変形部を介して突設されている。また、蓋体７のＬ字状に折曲された自由端部側の側端部にも、筐体１に設けた係合部５に係脱する係合突部１１が突設されている。
【０００６】
蓋体７は、支軸８を筐体１側に設けた係合支持部９に移動可能に軸支することにより筐体１に回動自在に組み合わされ、電池収納部２を閉塞した状態において、係合突部１０が係合凹部６と係合し自由端側の係合突部１１が係合部５と係合することによって筐体１に組み合わされる。
【０００７】
以上の構成において、電池４の交換等によって蓋体７を開ける場合、まず蓋体７に設けた係合突部１０が設けられた側を筐体１の内方の図９中矢印Ａ方向に押圧して撓ませて係合凹部６と係合突部１０との係合状態を解除し、次いで、筐体１に沿って図９中矢印Ｂ方向に移動させることによって係合部５と係合突部１１との係合状態を解除する。
【０００８】
その後、蓋体７は、支軸８を中心として図１０中矢印Ｃ方向に回動操作されることによって電池収納部２は大きく開放され、電池ホルダー３に装填されていた電池４の交換が行われる。電池交換が行われた後、蓋体７は、支軸８を中心に図１０中矢印Ｄ方向に回動操作されることによって、係合突部１０が係合凹部６に係合するとともに係合突部１１が係合部５に係合し、電池収納部２を閉塞した状態で保持される。
【０００９】
【発明が解決しようとする課題】
以上のように構成された従来の電池収納部の蓋装置によれば、蓋体７を開放した状態であっても、この蓋体７は、支軸８が係合支持部９に係合支持された状態を保持されているので、筐体１からの脱落が防止されているが、図１０に示すように、蓋体７を開放した状態において、振動や衝撃が与えられて傾いたりすると蓋体７が電池収納部２を閉じる方向へと回動してしまい、電池交換に支障をきたす場合がある。
【００１０】
本発明は、収納部に収納される収納物の交換を容易に行うことができ、操作性の向上を図ることができる収納部の蓋装置を提供することを目的として提案されたものである。
【００１１】
【課題を解決するための手段】
この目的を達成した本発明に係る収納部の蓋装置は、筐体に設けた収納部を開閉する蓋体を備える収納部の蓋装置において、収納部の内壁の少なくとも一側部に、蓋体が筐体面と平行に移動される第１の動作を行わせる直線状の第１の溝部と、この第１の溝部と連続し筐体に対して回動される第２の動作を行わせる円弧状の第２の溝部とを有する互いに非平行である一対の係合溝を設け、蓋体には、その側板部に上記一対の係合溝にそれぞれ係合する一対の支軸突部を設ける一方、その移動方向の両縁部に収納部を閉塞した状態で筐体内面に設けられた係合凹部と係合する係合突部とを形成したことを特徴とする。
【００１２】
また、本発明に係る収納部の蓋装置は、少なくとも一方の係合溝には、その終端部近傍に突部が形成され、開放操作された蓋体は支軸が突部で係止されることによって開放状態に保持されることを特徴とする。
【００１３】
【作用】
本発明に係る収納部の蓋装置は、蓋体が筐体面に沿って移動操作されると、係合溝の第１の溝部にガイドされて筐体面と平行に移動されて筐体との係合状態が解除される。次いで、蓋体は、係合溝の第２の溝部にガイドされて筐体に対して回動動作されて収納部を開放する。
【００１４】
また、蓋体が移動操作されて、支軸が係合溝の終端部近傍に形成された突部を乗り越えることにより間欠的な動作が実現され、支軸が突部に係止されることによって蓋体の開放状態が保持される。蓋体は、一端側に形成した係合突部が筐体内面の係合凹部に係合することによって収納部を閉塞した状態を保持される。蓋体の他方縁部に形成した係合突部は、蓋体が収納部を閉塞した状態において、筐体の突き合わせ縁との間にすき間が生じないようにする。
【００１５】
【実施例】
以下、本発明をテープカセットを記録媒体として用いる携帯型のテーププレーヤの電池収納部への適用した例を挙げて説明する。
【００１６】
本発明に係る蓋装置が適用されるテーププレーヤは、図５に示すように、合成樹脂製の上下のケース２０Ａ、２０Ｂを組み合わせて構成した筐体２０を備え、この筐体２０の円弧状に膨出形成された背面部と、この背面部と直交する側面部とに亘って電池収納部２１が設けられている。電池収納部２１の内部には、一方の側壁内面にコイル端子２２Ａが、また他方の側壁内面に端子板２２Ｂとがそれぞれ設けられた全体でコ字状をなす電池ホルダー２２が構成されている。この電池収納部２１は、通常蓋体３０によって閉塞され、この蓋体３０を開放操作して電池ホルダー２２にテーププレーヤの電源となる電池２３が装填される。
【００１７】
電池収納部２１を構成する筐体２０の相対向する内壁２４には、図１に示すように、筐体２０の内方から外方に向かって第１の係合溝２５及び第２の係合溝２６とが形成されている。これら第１及び第２の係合溝２５、２６は、互いに非平行であり、第１の係合溝２５は、筐体２０の主面と略平行な直線状の第１の溝部２５Ａと、これに連続した円弧状の第２の溝部２５Ｂとから構成されている。
【００１８】
第２の係合溝２６は、図１に示すように、第１の係合溝２５の内方位置に設けられ、第１の係合溝２５の長さ方向の略中央位置から筐体２０の外方に向かうように延長して形成されている。この第２の係合溝２６も、筐体２０の主面と略々平行な直線状の第１の溝部２６Ａと、これに連続した円弧状の第２の溝部２６Ｂとから構成され、第２の溝部２６Ｂの曲率は第１の係合溝２５の第２の溝部２５Ｂに対してやや大とされている。
【００１９】
また、第２の係合溝２６には、その終端部近傍の底壁にリブ状の突部２７が形成されている。この突部２７は、電池収納部２１を構成する両側の内壁２４に設けた第２の係合溝２６にそれぞれ形成されているものであり、これら突部２７によって両内壁２４の係合溝２６間の対向間隔が実質的に狭められる。筐体２０には、図５に示すように、側面部と対向する電池収納部２１の開口縁内面に係合凹部２８が設けられ、側面部側にも係合部２９が設けられている。
【００２０】
蓋体３０は、筐体２０と同色の合成樹脂材料によって成形され、図１に示すように、電池収納部２１を閉塞した状態で筐体２０の主面及び側面の一部をそれぞれ構成する。この蓋体３０は、図６乃至図８に示すように、筐体２０の主面形状に対応して略々円弧状をなす主面部３０Ａと、この主面部３０Ａの幅方向の両側面を構成するようにして形成された薄い厚さの一対の側板部３０Ｂ、３０Ｂとからなる。なお、以下の説明では、一対の側板部３０Ｂ、３０Ｂの一方のみの例を挙げて説明する。
【００２１】
蓋体３０の主面部３０Ａには、一端部側の幅方向の略中央部に位置して操作部となるローレット３０ａが設けられるとともに、内面側には円弧状の複数の補強リブ３５が形成されている。蓋体３０のローレット３０ａが設けられた側の側縁には、第１の係合突部３１が筐体２０の係合凹部２８に対応して突出形成されている。この第１の係合突部３１は、薄肉の弾性変形部を介してフック状の係合部が一体に形成されてなる。また、ローレット３０ａが設けられた側と対向する側の側縁には、第２の係合突部３２が筐体２０の係合部２９に対応して突出形成されている。この第２の係合突部３２は、電池収納部２１を閉塞した状態において、筐体２０の背面部の一部を構成する主面部３０Ａの先端側の内面に突出形成されてなる。
【００２２】
側板部３０Ｂには、その外側面に第１及び第２の係合溝２５、２６にそれぞれ係合する第１の支軸３３及び第２の支軸３４とがそれぞれ一体に突設されている。これら支軸３３、３４は、係合溝２５、２６の溝幅とほぼ等しい外径を有しており、蓋体３０が電池収納部２１を閉塞した状態において、対応する各係合溝２５、２６の始端部においてそれぞれ係合する位置に突設されている。
【００２３】
以上のように構成された蓋体３０は、側板部３０Ｂを内方へと撓ませながら電池収納部２１を構成する内壁２４間に押し込むことによって筐体２０に組み付けられる。すなわち、蓋体３０は、その側板部３０Ｂが薄肉に形成されることによって厚さ方向に対して弾性変形することができ、筐体２０の内壁２４間に押し込んで支軸３３、３４が係合溝２５、２６にそれぞれ係合すると弾性復帰することによって筐体２０に組み付けられる。
【００２４】
このように筐体２０に組み付けられた蓋体３０は、その側板部３０Ｂの内面に電池ホルダー２２の両側面部が対応位置することによって、幅方向の強い力が加えられても内方への弾性変形が阻止されるため、筐体２０からの脱落が防止される。筐体２０に組み付けられた蓋体３０は、図１に示すように、ローレット３０ａ側に形成した第１の係合突部３１が筐体２０に設けた係合凹部２８に係合するとともに反対側に形成した第２の係合突部３２が係合部２９に係合することによって、電池収納部２１を閉塞した状態で保持される。
【００２５】
蓋体３０は、通常電池収納部２１を閉塞しており、電池２３を交換する等の場合に開放操作される。蓋体３０の開放操作は、ローレット３０ａ部分を押圧しながら、筐体２０に沿ってスライド操作することによって行われる。
【００２６】
電池収納部２１を閉塞した状態にある蓋体３０を開放するするには、第１の係合突部３１が設けられた側を図２中矢印Ｅ方向に押圧操作すると円弧状をなす主面部３０Ａが平坦になるように撓まされ、係合突部３１と係合凹部２８との相対係合が解除される。蓋体３０を図２中矢印Ｅ方向に押圧操作した状態で図３中矢印Ｆ方向にスライド操作すると、係合突部３１が係合凹部２８から離脱する。蓋体３０は、係合突部３１と係合凹部２８との相対係合が解除された後更に図３中矢印Ｆ方向にスライド操作可能となる。
【００２７】
蓋体３０は、図３中矢印Ｆ方向にスライド操作されるとき、支軸３３、３４が各係合溝２５、２６の第１の溝部２５Ａ、２６Ａを移動する間は、筐体２０の主面と平行に移動し、係合突部２９の係合部３２からの離脱を図る。蓋体３０は、図３に示す状態から更に矢印Ｆ方向にスライド操作されると、各支軸３３、３４が各係合溝２５、２６の直線状の第１の溝部２５Ａ、２６Ａから円弧状の第２の溝部２５Ｂ、２６Ｂへと移動し、各支軸３３、３４が図４に示すように第２の溝部２５Ｂ、２６Ｂにガイドされて回動動作され、図５に示すように、電池収納部２１を開放する。
【００２８】
上述した蓋体３０の動作は、両側板部３０Ｂ、３０Ｂにそれぞれ一対の支軸３３、３４を形成して、これらを筐体２０の内壁２４に設けた一対の係合溝２５、２６に係合してガイドとしたものであるからスムースに動作される。
【００２９】
また、支軸３４が係合溝２６の突部２７に達するまで移動し後更に蓋体３０を図４中矢印Ｇ方向にスライド操作すると、側板部３０Ｂが内方へと弾性変形することによって突部２７を乗り越えて通過し、間欠的な動作が実現されてクリック感が奏せられる。支軸３４が突部２７を乗り越えた状態において、図４に示すように、支軸３４は突部２７によって係止され、蓋体３０を電池収納部２１を開放した状態に保持する。
される。
【００３０】
したがって、振動等が加えられたり、テーププレーヤが反転されたとしても、蓋体３０は、電池収納部２１を開放した状態に保持され、古い電池２３を取り出して新しい電池２３を電池ホルダー２２に装填するといった電池交換を容易に行うことができる。
【００３１】
電池２３の交換を行った後、電池収納部２１を開放した状態に置かれた蓋体３０は、上述した電池収納部２１を開放する操作とは逆の向きにスライド操作することによって電池収納部２１を閉塞する。このとき、蓋体３０は、支軸３４が突部２７を乗り越えて係合溝２６を移動して電池収納部２１を閉塞した状態に復帰する。
【００３２】
上記実施例においては、蓋体３０の両側板部３０Ｂ、３０Ｂにそれぞれ一対の支軸３３、３４を形成するとともに、これら支軸３３、３４が係合する一対の係合溝２５、２６を筐体２０の両内壁２４にそれぞれ設けたが、支軸と係合溝はいずれか一方側にのみ配設するようにしてもよく、この場合、他方側は１個の支軸と係合溝とで構成される。
【００３３】
また、上記実施例では、携帯型のテーププレーヤの電池収納部に適用した例を挙げて説明したが、本発明は電池収納部に限定されるものではなく、例えば携帯型のテーププレーヤのイヤホーンの収納部や通常は使用されないスイッチ類の操作部の蓋装置等にも適用し同様の利点を得ることができ、更に携帯型のテーププレーヤ以外の電子機器などの各種機器にも広く適用することができる。
【００３４】
【発明の効果】
上述したように、本発明は、蓋体のスライド操作のみによって、蓋体を直線移動と回動操作を行わせることができるので、収納部の開閉操作を容易に行うことができる。
また、蓋体のスライド操作は、各支軸を直線状の第１の溝部からこれに連続する円弧状の第２の溝部への移動であるとともに、蓋体に形成した各支軸を筐体の内壁に設けた互いに非平行である一対の係合溝に係合してガイドされるものであることから、連続的にガタもなくスムースに行うことができる。
さらに、本発明は、蓋体の係合凸部が筐体内面に設けられた係合凹部と係合するため、収納部を閉塞した状態に確実に保持することができるとともに、筐体の突き合わせ縁との間にすき間が生じないようにすることができる。
【００３５】
さらにまた、蓋体は、開放状態において支軸が突部によって係止されるため、振動や衝撃が与えられたり、機器を反転させたりしても閉塞方向に倒れ込むことを防止でき、電池などの収納物の交換等の作業を容易に行うことができる。
【図面の簡単な説明】
【図１】本発明に係る収納部の蓋装置を示す要部縦断面図である。
【図２】蓋体の開放操作する状態を示す要部縦断面図である。
【図３】蓋体の収納部に対する係合を解除し、収納部を開放する状態を示す要部縦断面図である。
【図４】収納部を開放した状態を示す要部縦断面図である。
【図５】携帯型のテーププレーヤの電池収納部に本発明に係る蓋装置を適用した例を示し、電池収納部を開放した状態を示す斜視図である。
【図６】本発明に係る蓋装置を構成する蓋体の平面図である。
【図７】上記蓋体の正面図である。
【図８】上記蓋体の側面図である。
【図９】従来用いられる携帯型のテーププレーヤの電池収納部を開閉する蓋装置を示す要部縦断面図である。
【図１０】上記電池収納部を開放した状態を示す要部縦断面図である。
【符号の説明】
２０  筐体、  ２１  電池収納部、  ２３  電池、  ２５  第１の係合溝、  ２５Ａ  第１の溝部、  ２５Ｂ  第２の溝部、  ２６  第２の係合溝、  ２６Ａ第１の溝部、  ２６Ｂ  第２の溝部、  ２７  突部、  ２８  係合凹部、  ２９  係合部、  ３０  蓋体、  ３１  係合突部、  ３２  係合突部、  ３３  第１の支軸、  ３４  第２の支軸。
【図１】
0003543333.tif 000002
【図２】
0003543333.tif 000003
【図３】
0003543333.tif 000004
【図４】
0003543333.tif 000005
【図５】
0003543333.tif 000006
【図６】
0003543333.tif 000007
【図７】
0003543333.tif 000008
【図８】
0003543333.tif 000009
【図９】
0003543333.tif 000010
【図１０】
0003543333.tif 000011